(57)【要約】【課題】踏段に損傷が発生することを抑制するとともに、踏段に載ったより小さな異物を検出することができる乗客コンベヤ用コムを得る。【解決手段】乗降口に設置されたコムプレート３１に設けられ、下方を踏段２が通過するエスカレータ用コム３２であって、踏段２の踏板２１に形成された溝２２に挿入され、溝２２の底面２３に接触する接触位置とこの接触位置よりも上方に位置する検出位置との間で変位するローラ３２１と、ローラ３２１を変位可能に支持する支持装置３２２と、ローラ３２１の位置が検出位置であることを検出するスイッチ３２３とを備え、異物４が載った踏段２がローラ３２１の下方に進入する場合に、ローラ３２１が異物４によって押し上げられて接触位置から検出位置に変位する。【選択図】図４
2014118297.tif 000002
【特許請求の範囲】
【請求項１】
乗降口に設置されたコムプレートに設けられ、下方を踏段が通過する乗客コンベヤ用コムであって、
前記踏段の踏板に形成された溝に挿入され、前記溝の底面に接触する接触位置と前記接触位置よりも上方に位置する検出位置との間で変位するローラと、
前記ローラの位置が前記検出位置であることを検出する検出装置と
を備え、
異物が載った前記踏段が前記ローラの下方に進入する場合に、前記ローラが前記異物によって押し上げられて前記接触位置から前記検出位置に変位することを特徴とする乗客コンベヤ用コム。
【請求項２】
前記ローラの上方への移動を規制する規制部材をさらに備えたことを特徴とする請求項１に記載の乗客コンベヤ用コム。
【発明の詳細な説明】
【技術分野】
【０００１】
この発明は、乗降口に設置されたコムプレートに設けられ、下方を踏段が通過する乗客コンベヤ用コムに関する。
【背景技術】
【０００２】
従来、乗降口に設置されたコムプレートに設けられ、下方を踏段が通過するエスカレータ用コムであって、コムプレートに支持される取付板と、取付板に設けられ、踏段の踏板の上面に形成された溝に挿入される検出板とを備え、検出板が、踏板の溝の底面から上方へ所定距離だけ離れた位置である所定位置と、所定位置よりも上方の位置である検出位置との間で変位するエスカレータ用コムが知られている。異物が載った踏段がエスカレータ用コムの下方に進入する場合に、検出板が異物によって押し上げられて所定位置から検出位置に変位する。これにより、異物が載った踏段がエスカレータ用コムの下方に進入したことを検出することができる（例えば、特許文献１参照）。
【先行技術文献】
【特許文献】
【０００３】
【特許文献１】特開平１１−４３２７９号公報
【発明の概要】
【発明が解決しようとする課題】
【０００４】
しかしながら、踏段に載った小さな異物を検出するために、検出板の所定位置を検出板が踏板の溝の底面に接触する接触位置とする場合、検出板が踏板の底面に接触して擦れることによって、踏段に損傷が発生してしまう。したがって、踏段に載った小さな異物を検出することができないという問題点があった。
【０００５】
この発明は、踏段に損傷が発生することを抑制するとともに、踏段に載ったより小さな異物を検出することができる乗客コンベヤ用コムを提供するものである。
【課題を解決するための手段】
【０００６】
この発明に係る乗客コンベヤ用コムは、乗降口に設置されたコムプレートに設けられ、下方を踏段が通過する乗客コンベヤ用コムであって、踏段の踏板に形成された溝に挿入され、溝の底面に接触する接触位置とこの接触位置よりも上方に位置する検出位置との間で変位するローラと、ローラの位置が検出位置であることを検出する検出装置とを備え、異物が載った踏段がローラの下方に進入する場合に、ローラが異物によって押し上げられて接触位置から検出位置に変位する。
【発明の効果】
【０００７】
この発明に係る乗客コンベヤ用コムによれば、踏段の踏板に形成された溝に挿入され、溝の底面に接触する接触位置とこの接触位置よりも上方に位置する検出位置との間で変位するローラと、ローラの位置が検出位置であることを検出する検出装置とを備え、異物が載った踏段がローラの下方に進入する場合に、ローラが異物によって押し上げられて接触位置から検出位置に変位するので、踏段に損傷が発生することを抑制するとともに、踏段に載ったより小さな異物を検出することができる。
【図面の簡単な説明】
【０００８】
【図１】この発明の実施の形態１に係るエスカレータを示す側面図である。
【図２】図１の乗降口安全装置を示す拡大図である。
【図３】図２のＩＩＩ−ＩＩＩ線に沿った矢視断面図である。
【図４】図３のローラが接触位置から検出位置に変位した状態を示す断面図である。
【発明を実施するための形態】
【０００９】
実施の形態１．
図１はこの発明の実施の形態１に係るエスカレータを示す側面図である。エスカレータ（乗客コンベヤ）は、上階側階床と下階側階床とに渡って設けられ、長手方向両端部に乗降口１１が形成された主枠１と、一対の乗降口１１の間を循環移動する踏段２と、各乗降口１１に設けられた乗降口安全装置３とを備えている。
【００１０】
図２は図１の乗降口安全装置３を示す拡大図、図３は図２のＩＩＩ−ＩＩＩ線に沿った矢視断面図である。図において、乗降口安全装置３は、乗降口１１（図１）に設置されたコムプレート３１と、コムプレート３１に取り付けられたエスカレータ用コム（乗客コンベヤ用コム）３２と、エスカレータ用コム３２をコムプレート３１に固定する固定ねじ３３とを備えている。
【００１１】
エスカレータ用コム３２は、踏段２の踏板２１の上面に形成された溝２２に挿入され、溝２２の底面２３に接触する接触位置（所定位置）と接触位置よりも上方に位置する検出位置との間で変位する複数のローラ３２１と、各ローラ３２１を変位可能に支持する支持装置３２２と、ローラ３２１の位置が検出位置であることを検出するスイッチ（検出装置）３２３と、支持装置３２２を上方から覆うコムカバー（規制部材）３２４とを備えている。
【００１２】
支持装置３２２は、乗降口１１の幅方向に延びた回動軸３２５と、ローラ３２１を回転可能に支持し、回動軸３２５を中心に回動する複数のローラアーム３２６と、ローラアーム３２６と一体に形成されたレバー３２７とを有している。１つのローラ３２１を２本のローラアーム３２６が支持している。回動軸３２５は、ローラアーム３２６の基端部に固定されている。ローラ３２１は、ローラアーム３２６の先端部に取り付けられている。回動軸３２５は、コムカバー３２４に支持されている。
【００１３】
レバー３２７は、回動軸３２５からローラアーム３２６とは反対側に延びて形成されている。レバー３２７は、ローラ３２１の位置が接触位置である場合に、スイッチ３２３を押圧する。図４は図３のローラ３２１が接触位置から検出位置に変位した状態を示す断面図である。ローラ３２１が接触位置から検出位置に変位することによって、回動軸３２５が回動して、レバー３２７がスイッチ３２３から離れる。スイッチ３２３は、レバー３２７がスイッチ３２３から離れることによって、ローラ３２１の位置が検出位置であることを検出する。スイッチ３２３は、ローラ３２１の位置が検出位置であることを検出する場合に、踏段２に異物４が載っていることを示す情報をエスカレータ制御装置（図示せず）に送信する。エスカレータ制御装置は、踏段２に異物４が載っていることを示す情報を受信する場合に、踏段２の循環移動を停止する。これにより、踏段２に載っている異物４が踏段２とコムプレート３１との間に挟まれることを防止することができる。
【００１４】
コムカバー３２４は、ローラ３２１が接触位置から検出位置に変位する場合に、ローラアーム３２６の所定量以上の回動を規制して、ローラ３２１の上方への所定高さ以上の移動を規制する。
【００１５】
次に、エスカレータ用コム３２の動作について説明する。踏段２が循環移動すると、ローラ３２１は、ローラ３２１の自重によって踏板２１の溝２２の底面２３を転動する。小さな異物４が載った踏段２がローラ３２１の下方に進入すると、ローラ３２１が異物４によって押し上げられて接触位置から検出位置に変位する。これにより、ローラ３２１の位置が検出位置であることをスイッチ３２３が検出し、踏段２に異物４が載っていることを示す情報がエスカレータ制御装置に送信される。エスカレータ制御装置は、踏段２に異物４が載っていることを示す情報を受信すると、踏段２の循環移動を停止する。一方、大きな異物が載った踏段２がローラ３２１の下方に進入すると、異物がコムカバー３２４の上面に移動する。これにより、踏段２から異物が取り除かれる。以上により、エスカレータ用コム３２の動作が終了する。
【００１６】
以上説明したように、この発明の実施の形態１に係るエスカレータ用コム３２によれば、踏段２の踏板２１に形成された溝２２に挿入され、溝２２の底面２３に接触する接触位置とこの接触位置よりも上方に位置する検出位置との間で変位するローラ３２１と、ローラ３２１の位置が検出位置であることを検出するスイッチ３２３とを備え、異物４が載った踏段２がローラ３２１の下方に進入する場合に、ローラ３２１が異物４によって押し上げられて接触位置から検出位置に変位するので、踏段２に損傷が発生することを抑制するとともに、踏段２に載ったより小さな異物４を検出することができる。
【００１７】
また、エスカレータ用コム３２は、ローラ３２１の上方への移動を規制するコムカバー３２４を備えているので、踏段２に乗った乗客がローラ３２１に衝突することを防止することができる。その結果、乗客がローラ３２１に躓くことを防止することができる。
【００１８】
なお、上記実施の形態１では、スイッチ３２３が検出位置に変位する場合にエスカレータを停止させる構成について説明したが、これに限定するものではなく、例えば、スイッチ３２３が検出位置に変位する場合に、エスカレータの運転状態を監視する監視盤などに異常警報を出力し、係員へ点検を促す構成であってもよい。
【００１９】
また、上記実施の形態１では、所定位置と検出位置との間で変位するスイッチ３２３を備えたエスカレータ用コム３２の構成について説明したが、これに限らず、例えば、ローラ３２１についての所定位置からの第１の変位量を検出する第１のスイッチと、ローラ３２１についての所定位置からの第１の変位量よりも大きい第２の変位量を検出する第２のスイッチとを備えたエスカレータ用コムの構成、または、１つのスイッチで第１の変位量および第２の変位量を検出することができる２段スイッチを備えたエスカレータ用コムの構成であってもよい。この場合、ローラ３２１の変位量に応じて、ローラ３２１の変位を２段階で検出することができ、例えば、第１のスイッチのみがローラ３２１の変位を検出する場合に、エスカレータの運転状態を監視する監視盤などに異常警報を出力し、第１のスイッチおよび第２のスイッチの両方がローラ３２１の変位を検出する場合に、エスカレータを停止させるようにしてもよい。
【００２０】
なお、上記実施の形態１では、乗客コンベヤ用コムとして、エスカレータ用コム３２を例に説明したが、動く歩道用コムであってもよい。
【符号の説明】
【００２１】
１  主枠、２  踏段、３  乗降口安全装置、４  異物、１１  乗降口、２１  踏板、２２  溝、２３  底面、３１  コムプレート、３２  エスカレータ用コム（乗客コンベヤ用コム）、３２１  ローラ、３２２  支持装置、３２３  スイッチ（検出装置）、３２４  コムカバー（規制部材）、３２５  回動軸、３２６  ローラアーム、３２７  レバー。
【図１】
2014118297.tif 000003
【図２】
2014118297.tif 000004
【図３】
2014118297.tif 000005
【図４】
2014118297.tif 000006